(57)【要約】【課題】  対向する部材間の間隔を調整するについて、入力操作量に対する作動効率を良くし、延いては、全体の作業量のいたずらな増大化を回避し得るようにする。【解決手段】  適宜の間隔を有して対向する一方部材Ｂ１と他方部材Ｂ２とに跨設状態に配在されて一方側ワーク１における出力軸１１を一方側部材Ｂ１に連繋し他方側ワーク２における出力軸２１を他方側部材Ｂ２に連繋すると共に、一方側ワーク１および他方側ワーク２に螺装された入力軸３の回動時に一方側ワーク１と他方側ワーク２との間を遠近してなる対向部材間間隔調整装置において、一方側ワーク１に入力軸３の前端部が螺合されると共に他方側ワーク２に入力軸３の後端部が螺合される一方で、入力軸３の前端部に形成の螺条３ｂにおける傾斜方向に対して入力軸３の後端部に形成の螺条３ｃにおける傾斜方向が反対方向とされてなる。【選択図】        図１
2005155060.tif 000002
【特許請求の範囲】
【請求項１】
適宜の間隔を有して対向する一方部材と他方部材とに跨設状態に配在されて一方側ワークにおける出力軸を一方側部材に連繋し他方側ワークにおける出力軸を他方側部材に連繋すると共に、一方側ワークおよび他方側ワークに螺装された入力軸の回動時に一方側ワークと他方側ワークとの間を遠近してなる対向部材間間隔調整装置において、一方側ワークに入力軸の前端側が螺合されると共に他方側ワークに入力軸の後端側が螺合される一方で、入力軸の前端側に形成の螺条における傾斜方向に対して入力軸の後端側に形成の螺条における傾斜方向が反対方向とされてなることを特徴とする対向部材間間隔調整装置
【請求項２】
入力軸が一方側ワークおよび他方側ワークの軸芯部に螺入されてなる請求項１に記載の対向部材間間隔調整装置
【請求項３】
入力軸の先端側に形成の螺条におけるネジピッチと入力軸の基端側に形成の螺条におけるネジピッチとが同一ピッチとされてなる請求項１に記載の対向部材間間隔調整装置
【請求項４】
一方側ワークあるいは他方側ワークもしくは入力軸に携帯用の索引部材が固定状態にあるいは分離可能に連繋されてなる請求項１に記載の対向部材間間隔
【請求項５】
入力軸における基端部に外力操作部としてのナット状体が後付けで保持されてなる請求項１に記載の対向部材間間隔調整装置
【発明の詳細な説明】
【技術分野】
【０００１】
この発明は、対向する部材間における間隔の調整を可能にする対向部材間間隔調整装置の改良に関する。
【背景技術】
【０００２】
対向する部材間における間隔の調整を可能にする装置としては、従来から種々の提案があるが、たとえば、特許文献１に開示されている装置は、それぞれＩ型鋼からなり対向する梁材の各フランジに架け渡される状態に連繋されるネジジャッキからなるとしている。
【０００３】
そして、このネジジャッキは、ガイドロッドに保持されながら各フランジに開穿の孔にそれぞれの出力軸たる係合ロッドを係合させる固定側のワークたる固定側スリーブと可動側のワークたる移動側スリーブとを有してなり、ガイドロッドに平行する入力軸たる回転軸を各スリーブに螺装させてなるとしている。
【０００４】
それゆえ、この特許文献１に開示の装置によれば、各係合ロッドを相応する対向部材間に挿通してこのネジジャッキを対向する梁材に連繋し、この状態下に回転軸を回動することで、移動側スリーブを移動させることが可能になり、対向する梁材間における間隔を遠近調整することが可能になる。
【特許文献１】特開２０００−２２０２９７号公報（明細書中の段落００１４から同００１８まで，図３）
【発明の開示】
【発明が解決しようとする課題】
【０００５】
しかしながら、上記したネジジャッキからなる装置にあっては、対向する部材間の間隔を調整する、すなわち、対向する部材を遠近させるについて、作業に手間取ると指摘される可能性がある。
【０００６】
すなわち、上記の装置にあっては、入力軸たる回転軸を回動することで、移動側スリーブを移動させて、対向する部材間の間隔を調整するから、移動側スリーブを大きく移動させようとする場合には、その分いわゆるまるまる移動側スリーブを移動させる必要を生じ、それゆえ、両側のスリーブを同時に移動する場合に比較して作業に手間取ることになる。
【０００７】
のみならず、上記した装置にあって、移動側スリーブは、ガイドロッドに保持されると共にこのガイドロッドに並行する回転軸を螺装させるから、移動側スリーブが回転軸の回動で移動するときにガイドロッドに齧る可能性があり、作動性が低下され易くなる危惧がある。
【０００８】
この発明は、このような現状を鑑みて創案されたものであって、その目的とするところは、対向する部材間の間隔を調整するについて、入力操作量に対する作動効率を良くし、延いては、全体の作業量のいたずらな増大化を回避し得て、その汎用性の向上を期待するのに最適となる対向部材間間隔調整装置を提供することである。
【課題を解決するための手段】
【０００９】
上記した目的を達成するために、この発明による対向部材間間隔調整装置の構成を、請求項１では、適宜の間隔を有して対向する一方部材と他方部材とに跨設状態に配在されて一方側ワークにおける出力軸を一方側部材に連繋し他方側ワークにおける出力軸を他方側部材に連繋すると共に、一方側ワークおよび他方側ワークに螺装された入力軸の回動時に一方側ワークと他方側ワークとの間を遠近してなる対向部材間間隔調整装置において、一方側ワークに入力軸の先端側が螺合されると共に他方側ワークに入力軸の基端側が螺合される一方で、入力軸の先端側に形成の螺条における傾斜方向に対して入力軸の基端側に形成の螺条における傾斜方向が反対方向とされてなるとする。
【００１０】
そして、上記した基本的な構成にあって、より具体的には、請求項２で、入力軸が一方側ワークおよび他方側ワークの軸芯部に螺入されてなるとし、請求項３で、入力軸の先端側に形成の螺条におけるネジピッチと入力軸の基端側に形成の螺条におけるネジピッチとが同一ピッチとされてなるとする。
【００１１】
また、請求項４で、一方側ワークあるいは他方側ワークもしくは入力軸に携帯用の索引部材が固定状態にあるいは分離可能に連繋されてなるとし、請求項５で、入力軸における基端部に外力操作部としてのナット状体が後付けで保持されてなるとする。
【発明の効果】
【００１２】
それゆえ、請求項１の発明にあっては、入力軸の回動で、たとえば、一方側ワークが前進するとき、他方側ワークが後退するようになり、一方側ワークと他方側ワークとの間に形成される間隔が、すなわち、対向する部材間に形成される間隔が同じ速度で遠近されることになり、したがって、一方のワークだけが移動する場合に比較して、入力軸に対するワークの移動効率が向上され、対向する部材間の間隔が比較すれば速やかに遠近することになる。
【００１３】
このとき、請求項２の発明にあっては、入力軸が一方側ワークおよび他方側ワークの軸芯部に螺入されるから、各側のワークがこの入力軸をガイド部材にして移動することになり、したがって、ガイドロッドなどからなるガイド部材を併設することを要しないこともあって、ワークがガイドロッドに齧るような不具合を回避できる。
【００１４】
そして、請求項３の発明にあっては、入力軸の先端側に形成の螺条におけるネジピッチと入力軸の基端側に形成の螺条におけるネジピッチとが同一ピッチとされてなるから、いわゆる力のバランスを採れ、いずれか一方のワークに回動力が集中するように作用する不具合の招来を回避できる。
【００１５】
また、請求項４の発明にあっては、一方側ワークあるいは他方側ワークもしくは入力軸に携帯用の索引部材が固定状態にあるいは分離可能に連繋されてなるとするから、搬送性や取扱性に優れることになり、さらに、請求項５の発明にあっては、入力軸における基端部に外力操作部としてのナット状体が後付けで保持されてなるとするから、この装置の組立作業が容易になる。
【００１６】
その結果、この発明によれば、対向する部材間の間隔調整するについて、入力操作量に対する作動効率を良くし、また、円滑な作動性が保障されると共に、搬送性や取扱背に優れ、延いては、全体の作業量のいたずらな増大化などを回避し得ることになる。
【発明を実施するための最良の形態】
【００１７】
以下に、図示した実施形態に基づいて、この発明を説明するが、この発明による対向部材間間隔調整装置（以下、単に本装置と記すことがある）は、ここでは、図１に示すように、対向する部材、すなわち、一方部材たる梁材Ｂ１（以下、単にＢとのみ記すことがある）と他方部材たる梁材Ｂ２（以下、単にＢとのみ記すことがある）間における間隔を調整する装置として具現化されている。
【００１８】
すなわち、本装置は、縦材たる柱材（図示せず）に連結される横材たる梁材Ｂに連繋されるとし、このとき、対向する梁材Ｂ間に生じる隙間（符示せず）を遠近調整することで、結果的には、柱材における垂直度を調整するとしており、このことからすると、本装置は、建入れ調整装置とされても良いことになる。
【００１９】
少し説明すると、本装置は、基本的には、適宜の間隔を有して対向する一方梁材Ｂ１と他方梁材Ｂ２とに跨設状態に連繋される一方側ワーク１と他方側ワーク２とを有してなり、一方側ワーク１および他方側ワーク２に螺装された入力軸３の回動時に一方側ワーク１と他方側ワーク２との間を遠近させて、一方梁材Ｂ１と他方梁材Ｂ２との間に出現している隙間を大小調整するとしている。
【００２０】
すなわち、まず、一方側ワーク１は、図中で左端部となる前端部たる肉厚部１ａの軸芯部に入力軸３を螺入させるほぼ有頭円筒状に形成され、この一方側ワーク１の筒部１ｂの内側に同じくほぼ有頭円筒状に形成されて同じく前端部たる肉厚部２ａに入力軸３を螺入させる他方側ワーク２が出没可能に挿通されてなるとしている。
【００２１】
それゆえ、入力軸３を回動することで、一方側ワーク１の筒部１ｂと他方側ワーク２の筒部２ｂとの間に相対移動が発現されるが、このとき、両側のワーク１，２間における回転方向の相対移動を阻止すべく、図示しないが、たとえば、両側のワーク１，２間にキー構造などが配在されるとするのが好ましい。
【００２２】
以上からすれば、本装置にあっては、入力軸３が一方側ワーク１および他方側ワーク２の軸芯部に螺入されるから、それゆえ、各側ワーク１，２は、それぞれこの入力軸３をガイド部材にして移動し得ることになり、その結果、本装置にあっては、前記した特許文献１に開示されている装置のようにガイドロッドなどからなるガイド部材を併設することを要しないことになる。
【００２３】
のみならず、本装置にあっては、ガイドロッドなどからなるガイド部材を併設することを要しないから、ガイドロッドを有するがために、ワークが移動するときにこのワークがガイドロッドに齧るような不具合の招来をあらかじめ回避できることになる。
【００２４】
一方、一方側ワーク１は、出力軸１１を有し、他方側ワーク２は、出力軸２１を有し、各出力軸１１，２１は、それぞれ相応するボルト孔ｈ、すなわち、各梁材Ｂ１，Ｂ２におけるフランジ（符示せず）に開穿されているボルト孔ｈに挿入されるとしており、この出力軸１１，２１のボルト孔ｈへの挿入されることで、所定の連繋状態が具現化されるとしている。
【００２５】
なお、上記した出力軸１１，２１は、図示するところでは、各側のワーク１，２に一体に保持されてなるとするが、この出力軸１１，２１が機能するところからすれば、各側のワーク１，２に分脱可能に設けられているとしても良く、そして、出力軸１１，２１が離脱可能に設けられる場合には、不使用時の収納に際して本装置のコンパクト化を図れる点で有利になると言い得る。
【００２６】
また、図示するところでは、各出力軸１１，２１が挿入される孔がボルト孔ｈ、すなわち、梁材Ｂにおけるフランジに開穿のボルト孔ｈとされているが、この発明が意図するところからすれば、梁材Ｂ側に形成されていれば良く、それゆえ、上記のボルト孔ｈに代えて、図示しないが、上記のフランジに開穿された専用孔とされ、または、上記のフランジに保持されたブラケットに開穿のボルト孔あるいは専用孔とされも良いことはもちろんである。
【００２７】
ところで、一方側ワーク１は、図示するところでは、チェーンなどの索引部材（図示せず）を挿通させる穴１２を有していて、この穴１２に挿通される索引部材を利用して本装置の作業者による搬送や携行を可能にするとしている。
【００２８】
ちなみに、本装置の搬送や携行を可能にする観点からすれば、図示しないが、たとえば、一方側ワーク１にハンドルが連設されてなるとし、このハンドルを利用する設定としても良い。
【００２９】
ただ、多くの場合に、チェーンなどの索引部材は、可撓性に富むであろうから、ハンドルを連設する場合に比較して、本装置の収納に際して邪魔になる可能性が低くなるとも言い得るであろう。
【００３０】
また、上記の索引部材は、他方側ワーク２に連繋されるとしても良いが、後述する入力軸３のいわゆる基端に連繋されるとしても良く、この場合には、各側のワーク１，２に切削部などが形成されないので、各側のワーク１，２における機械的強度を保障する上で有利となる。
【００３１】
ちなみに、上記の索引部材を入力軸３の基端部に連繋するについては、後述することからして、いわゆる着脱可能に連繋されるとしても良いことはもちろんである。
【００３２】
つぎに、入力軸３は、図中で右端部となる基端部を回動操作部３ａとしており、この回動操作部３ａは、図示するところでは、ナット状体からなるとしており、このナット状体がいわゆる後付け工法で、入力軸３の実質的な基端部に離脱可能に取付られてなるとしている。
【００３３】
それゆえ、入力軸３における実質的な基端部にナット状体を後付け工法で離脱可能に取り付ける設定の場合には、図示する実施形態による本装置の組立作業が容易になる。
【００３４】
一方、この入力軸３は、図中で左端側となる前端側が一方側ワーク１の肉厚部１ａにおける軸芯部に螺入されると共に、この前端側に近隣する後端側が他方側ワーク２の肉厚部２ａにおける軸芯部に螺入されるとしており、このとき、この発明では、入力軸３の前端側に形成の螺条３ｂにおける傾斜方向に対して入力軸３の後端側に形成の螺条３ｃにおける傾斜方向が反対方向となるように設定されている。
【００３５】
そして、図示する実施形態にあっては、入力軸３の前端部に形成の螺条３ｂにおけるネジピッチと入力軸３の後端部に形成の螺条３ｃにおけるネジピッチとが同一ピッチとされている。
【００３６】
なお、入力軸３にあって、上記の螺条３ｂと螺条３ｃとの間には、特に、螺条３ｂの外径を超える外径を備えた環状のストッパ部３ｄが配在されてなるとし、入力軸３がいわゆる螺入され過ぎたとしても、螺条３ｃが一方側ワーク１の肉厚部１ａに螺入されないように配慮している。
【００３７】
それゆえ、図示するところにあっては、入力軸３を、たとえば、図１中に示す矢印ａの方向に、回動することで、一方側ワーク１が図１中で左行するように前進するとき、他方側ワーク２が図１中で右行するように後退するようになり、このとき、一方側ワーク１と他方側ワーク２が同じ速度で遠近され、対向する梁材Ｂ間の間隔が、図２（Ａ）に示すように、広くなる。
【００３８】
そして、入力軸３を上記したところと逆方向に回動することで、一方側ワーク１が後退すると共に他方側ワーク２が前進することになり、対向する梁材Ｂ間の間隔が、図２（Ｂ）に示すように、狭くなる。
【００３９】
その結果、本装置による場合には、入力軸３を回動させるとき、前記した特許文献１に開示の装置のように一方のワークだけが移動する場合に比較して、入力軸３に対するワークの移動効率が向上されて、対向する梁材Ｂ間の間隔が速やかに遠近することになる。
【００４０】
そして、図示するところでは、螺条３ｂにおけるネジピッチと螺条３ｃにおけるネジピッチとが同一ピッチとされているから、入力軸３を回動させるときに、いわゆる力のバランスを採れ、いずれか一方のワークに回動力が集中するように作用し、その結果、一方のワークだけが先行して移動する不具合の招来を回避できる。
【００４１】
前記したところは、この発明による対向部材間間隔調整装置が建入れ調整装置としても利用できる場合を例にして説明したが、この発明が意図するところからすれば、凡そ対向する部材間の間隔を広狭調整する限りには、その他の、たとえば、加工機械装置類に具現化されるとしても良いことはもちろんである。
【００４２】
また、前記したところでは、入力軸３を回動させる回動操作部３ａが入力軸３の基端部側に配在されてなるとしたが、これに代えて、図示しないが、回動操作部３ａが入力軸３における前端部側に配在されてなるとしても良いことはもちろんである。
【図面の簡単な説明】
【００４３】
【図１】この発明による対向部材間間隔調整装置を示す縦断面図である。
【図２】（Ａ）は、図１の対向部材間間隔調整装置の一作動状態を示す図で、（Ｂ）は、同じく他の作動状態を示す図である。
【符号の説明】
【００４４】
１  一方側ワーク
１ａ，２ａ  肉厚部
１ｂ，２ｂ  筒状部
２  他方側ワーク
３  入力軸
３ａ  回動操作部
３ｂ，３ｃ  螺条
３ｄ  ストッパ部
１１，２１  出力軸
Ｂ１  一方部材としての梁材
Ｂ２  他方部材としての梁材
ｈ  ボルト孔
【図１】
2005155060.tif 000003
【図２】
2005155060.tif 000004